(57)【要約】【課題】一体型カメラ付き携帯電話において、電波の発生が好ましくない場所において、電波を発生しないカメラ等機能の使用を可能にする。【解決手段】一体型カメラ付き携帯電話において、電話機能用回路につながる電源スイッチ３と、カメラ等の送受信を行わない機能用回路につながる電源スイッチ４を別個に設け、独立に操作できるようにする。【選択図】          図１
2004166192.tif 000002
【特許請求の範囲】
【請求項１】
電話機能用回路をＯＮすることなく、カメラ等の送受信を行わない機能用回路をＯＮする電源スイッチを備えたことを特徴とする一体型カメラ付き携帯電話。
【請求項２】
前記電源スイッチが、電話機能用回路電源スイッチとは別個に設けられていることを特徴とする請求項１記載の一体型カメラ付き携帯電話。
【請求項３】
前記電源スイッチが、１つのスイッチの操作により、電話機能用回路電源スイッチと、カメラ等の送受信を行わない機能用回路電源スイッチとに切り換えられて機能する多機能スイッチからなることを特徴とする請求項1記載の一体型カメラ付き携帯電話。
【請求項４】
前記電源スイッチが、１つのスイッチと前記携帯電話の操作パネルの操作ボタンの少なくとも１つとの組み合わせからなることを特徴とする請求項1記載の一体型カメラ付き携帯電話。
【請求項５】
電話機能用回路とカメラ等の送受信を行わない機能用回路とを同時にＯＮするモードと、電話機能用回路をＯＮしないでカメラ等の送受信を行わない機能用回路のみをＯＮするモードとを切り換えるスイッチを備えたことを特徴とする一体型カメラ付き携帯電話。
【請求項６】
電話通信を無線電波を介して送受信する電話通信手段と被写体像を固定撮像素子により電気信号に変換する撮像手段とを備えた一体型カメラ付き携帯電話において、前記電話通信手段の無線電波を送受信する動作を禁止する電話禁止手段を具備することを特徴とする一体型カメラ付き携帯電話。
【請求項７】
前記電話禁止手段により無線電話の送受信が禁止されている状態において、前記撮像手段を駆動する第１の駆動手段と、前記電話通信手段により無線電話の送受信が可能とされている状態において、前記撮像手段を駆動する第２の駆動手段とを備えたことを特徴とする請求項６記載の一体型カメラ付き携帯電話。
【発明の詳細な説明】
【０００１】
【発明の属する技術分野】
本発明は、携帯電話に関し、特にデジタルカメラを電話本体に組み込んだ一体型カメラ付き携帯電話に関するものである。
【０００２】
【従来の技術】
携帯電話において、電話機能に加えて、メール機能や電子手帳機能、ゲームといった機能を追加したものが数多く発売されており、これらの機能を組み合わせることによって使い勝手が向上し、普及が進んでいる。特に、携帯電話にデジタルカメラ機能を加えたものが注目されており、急速に普及しつつある。図３に示すように従来の一体型カメラ付き携帯電話は、例えば、携帯電話本体前面の上端に近い位置にカメラレンズ１を配置し、その下に液晶モニタ２、さらにその下に電源スイッチ８と操作パネル５を備えている。この種の一体型カメラ付き携帯電話は、通信を行なわないカメラ撮影や画像確認を行う場合にも、携帯電話の電源をＯＮすると、自動的に通信準備のため電波を発生するようになっている。これは携帯電話の電源スイッチとカメラ等の電源スイッチが一体になっていたためである。携帯電話に組み込まれたゲームを楽しむときも同様である。１つの電源スイッチをONすることで、通信機能もONしてしまうため、電波の発生が好ましくない場所においては、電源スイッチをＯＮすることができず、カメラやゲームなどの電波を発生しない機能も使えなくなり、非常に不便であった。
【０００３】
例えば特許文献１には、カメラ撮影時に機能モード（撮影及び送信と、テレビ電話としての使用）を自動的に認識し、それに沿ってオペレーションを実施するものが開示されているが、これも電源スイッチを機能ごとに切り替えるものではない。
【０００４】
また、特許文献２には、電話機本体に着脱可能なユニットにデジタルカメラを備え、デジタルカメラと電話機本体とを切り離して両者間で無線通信を行ないながらカメラ機能を果たすことを可能にした携帯電話が開示されている。このカメラ付き携帯電話においてカメラ機能を使うときには、デジタルカメラのユニットを電話機本体から分離した場合には勿論、電話機本体に連結した場合にも、電話機能がＯＮするため、電波が発生してしまうので、依然として上述のような問題がある。
【０００５】
【特許文献１】
特開平１１−１１２８６０
【０００６】
【特許文献２】
特開２００２−２３７８８０
【０００７】
【発明が解決しようとする課題】
そこで、本発明はこの点に鑑み、電波の発生が好ましくない場所において、電波を発生しない機能のみを使用できる一体型カメラ付き携帯電話を提供することを目的とするものである。電波を発生しない機能とは、カメラ機能、ゲーム機能等であって、必要な機能を果たす上で電波の送受信によるデータ通信を必要としない機能を言う。
【０００８】
【課題を解決するための手段】
本発明による一体型カメラ付き携帯電話は、電話機能用回路をＯＮすることなく、カメラ等の送受信を行わない機能用回路のみをＯＮする電源スイッチを備えたことを特徴とするものである。
【０００９】
ここで、前記電源スイッチは、電話機能用回路電源スイッチとは別個に設けられていてもよい。
【００１０】
また、前記電源スイッチは１つのスイッチの操作により電話機能用回路電源スイッチとカメラ等機能用回路電源スイッチとに切り換えられて機能する多機能スイッチであってもよい。
【００１１】
さらに、前記電源スイッチは１つのスイッチと前記携帯電話の操作パネルの操作ボタンの少なくとも１つとの組み合わせであってもよい。なお、電波を発生する電話機能用の回路をＯＮする場合には、カメラ等の他の機能用回路は同時にＯＮしても差し支えない。
【００１２】
また、本発明による一体型カメラ付き携帯電話は、電話機能用回路とカメラ等の送受信を行わない機能用回路とを同時にＯＮするモードと、電話機能用回路をＯＮしないでカメラ等送受信を行わない機能用回路のみをＯＮするモードとを切り換えるスイッチを備えていてもよい。
【００１３】
また、本発明による一体型カメラ付き携帯電話は、電話通信手段の無線電波を送受信する動作を禁止する電話禁止手段を備えていてもよい。
【００１４】
さらに、その場合、電話禁止手段により無線電話の送受信が禁止されている状態において撮像手段を駆動する第１の駆動手段と、電話通信手段により無線電話の送受信が可能とされている状態において撮像手段を駆動する第２の駆動手段とを備えていてもよい。この２つの駆動手段は、必ずしも別のものでなくてもよく、１つの駆動手段が両者を兼ねる形式のものでもよい。
【００１５】
【発明の効果】
本発明による一体型カメラ付き携帯電話は、電話機能用回路をＯＮすることなく、カメラ等の送受信を行わない機能用回路のみをＯＮする電源スイッチを備えたものであるから、電波の発生が好ましくない場所においては、電話機能用回路の電源をＯＦＦし、カメラ等機能用回路の電源スイッチのみをＯＮさせることにより、送受信のための電波を発生させることなくカメラ等機能の使用を可能にすることができる。
【００１６】
ここで、前記電源スイッチが、電話機能用回路電源スイッチとは別個に設けられているものの場合には、電話機能用回路電源スイッチと、カメラ等機能用回路電源スイッチとをそれぞれ独立に操作することができ、操作が容易であるとともに、これら２つのスイッチを使い分けることにより、両機能を個別にあるいは同時に作用させることができ、便利である。
【００１７】
また、前記電源スイッチが、１つのスイッチの操作により電話機能用電源スイッチとカメラ等機能用電源スイッチとに切り換えられて機能する多機能スイッチとした場合には、スイッチの数を増やすことなく、上記目的を達成することができる。
【００１８】
また、前記電源スイッチが、１つのスイッチと前記携帯電話の操作パネルの操作ボタンの少なくとも１つとの組み合わせからなるものとした場合にも、同様の効果が得られる。
【００１９】
また、本発明による一体型カメラ付き携帯電話は、電話機能用回路とカメラ等の送受信を行わない機能用回路とを同時にＯＮするモードと、電話機能用回路をＯＮしないでカメラ等送受信を行わない機能用回路のみをＯＮするモードとを切り替えられるスイッチを備えているので、モード切換えにより後者のモードを選択することによって、上記目的を達成することができる。
【００２０】
また、本発明による一体型カメラ付き携帯電話は、電話通信手段の無線電波を送受信する動作を禁止する電話禁止手段を備えていている場合も、その電話禁止手段を使って電話機能回路をＯＦＦして、カメラ機能用回路のみをＯＮすることにより、上記目的を達成することができる。
【００２１】
さらに、その電話禁止手段により無線電話の送受信が禁止されている状態において、撮像手段を駆動する第１の駆動手段と、電話通信手段により無線電話の送受信が可能とされている状態において、撮像手段を駆動する第２の駆動手段とを備えている場合も、第１の駆動手段をＯＮすることにより、上記目的を達成することができる。
【００２２】
【発明の実施の形態】
以下、添付図面に基づいて本発明によるカメラ付き携帯電話の実施例を説明する。
【００２３】
図１は本発明によるカメラ付き携帯電話の第１の実施例を示すものである。カメラレンズ１、液晶モニタ２、電話機能用電源スイッチ３、カメラ等の電波を発生しない機能用電源スイッチ４及び操作パネル５は、携帯電話本体前面の見やすく操作しやすい位置に配置される。この実施例では、カメラレンズ１は携帯電話の上端の近くの実使用上便利な位置に置かれ、その下に液晶モニタ２を置く。電源スイッチ３と電源スイッチ４は液晶モニタ２の下に並べて置かれる。操作パネル５は携帯電話前面下部に配置される。アンテナ７は電波の送受信に適当な位置に固設される。また、カメラレンズ１は、携帯電話の背面に配置してもよい。
【００２４】
以上のように構成されたカメラ付き携帯電話において、電話機能使用時およびカメラ等電波を発生しない機能使用時の具体的な動作について、以下に説明する。図１に示すように、電話として使用する時は、電源スイッチ３を操作し、電話機能に必要な回路（図示せず）の電源をＯＮさせる。この時、必要のない電源スイッチ４はＯＮさせる必要がないが、同時にカメラ等も使用したいときは、このスイッチ４もＯＮさせる。ユーザーは操作パネル５を操作し、液晶モニタ２の表示に従い電話機能を使用する。カメラ等機能を使用する時は、電源スイッチ４を操作することにより、カメラ等機能に必要な回路（図示せず）の電源をＯＮさせる。病院等電波の発生が好ましくない場所に居るときは、電話機能電源スイッチ３をＯＮさせないで、不要な電波を出さないようにする。カメラ機能を使用する場合には、操作パネル５を操作し、カメラレンズ１で撮影を行い、撮影した画像は、液晶モニタ２に表示され確認できる。電波を発生しない機能の例として他に、メール作成機能、アドレス帳機能、ゲーム、音楽再生機能等をあげることができる。
【００２５】
図２は本発明によるカメラ付き携帯電話の第２の実施例を示すものである。この実施例は、電源スイッチ６を押す時間を変えることにより、その時間に対応してＯＮする回路を切り替えることができるようにしたもので、１つのスイッチで２種類の電源スイッチの機能を独立に操作することを可能にしている。すなわち、電源スイッチ６の操作によって、電話機能用電源とカメラ等機能用電源を独立に切り換えることを可能にしている。
【００２６】
この第２の実施例によるカメラ付き携帯電話において、電話機能使用時およびカメラ等機能使用時の具体的な動作について、以下に説明する。図２に示す携帯電話において、これを電話として使用する時は、電源スイッチ６を、例えば１秒未満の短時間ｔ１の間押し、電話機能に必要な回路（図示せず）の電源をＯＮさせる。このとき、使用しないカメラ等の回路はＯＮしないようにしてもよいが、同時にＯＮするようにしてもよい。その後、ユーザーは操作パネル５を操作して、液晶モニタ２の表示に従い電話機能を使用する。カメラ等機能のみを使用する時は、電源スイッチ６を、例えば１秒以上の長時間ｔ２（ｔ２＞ｔ１）の間押し続けることにより、カメラ等機能に必要な回路（図示せず）の電源をＯＮさせる。それと同時に電話機能に必要な回路はＯＦＦされ、不要な電波を出すことはなくなる。カメラ機能を使用する場合は、操作パネル５を操作し、カメラレンズ１で撮影を行い、撮影した画像は、液晶モニタ２に表示され確認できる。上記ｔ１およびｔ２は、実用上差し支えない範囲に適宜設定される。例えばｔ２＞＞ｔ１として、ｔ２とｔ１の間の時間だけスイッチが押された場合、いずれの電源もＯＮしないようにしてもよい。
【００２７】
上記実施の形態は、電源スイッチ６を押し続ける時間を変えることでＯＮする回路を独立に操作しているが、電源スイッチ６を操作パネル５と組み合わせて押すことにより、上記回路の電源のＯＮ／ＯＦＦを独立に操作するようにすることもできる。すなわち、例えば操作パネル５のいずれか１つのボタンと電源スイッチ６を同時に押したときには、カメラ等機能用の電源のみがＯＮするようにすることも可能である。また、電源スイッチ６と同時に押すボタンを変えることにより、電話のみ、カメラ等のみ、電話とカメラ等両方の３種類のモードを切り換えるようにすることも可能である。
【００２８】
図４に本発明による一体型カメラ付き携帯電話の第３の実施例を示す。これは、図１に示した電源スイッチ３および４に加えてモード切り替えスイッチ９を備えている。モード切り替えスイッチ９の操作により２つのモード、例えば、モードIとモードIIを切り替える。表１に示すように、モードIに設定した状態では、カメラ等機能用電源スイッチ４をONしたときに、カメラ機能用電源をONさせ、電話機能用電源はONさせず、カメラ機能等のみを使うことができる。モードIIに設定した状態では、カメラ等機能用電源スイッチ４をONしたときにカメラ機能用電源と電話機能用電源を同時にONさせ、電話機能とカメラ等機能を同時に使うことができる。このようにすれば、モードスイッチの設定により、カメラ等機能用電源スイッチ４の操作のみで、電話機能用電源をONさせるか否かを使い分けることができ、操作性が向上する。
【００２９】
同様の方法で、上記とは逆にして電話機能用電源スイッチ３の操作のみで、カメラ機能用電源をONさせるか否かを使い分けるようにすることもできる。
【００３０】
【表１】
2004166192.tif 000003
また、表２に示すように、モードIを単独モードとして、このモードIのときにはカメラ等機能用電源スイッチ４がＯＮされたときにはカメラ等機能用電源のみがＯＮし、電話機能用電源は直前の状態を維持するようにし、カメラ等機能用電源スイッチ４がOFFされたときにはカメラ等機能用電源のみがOFFし、電話機能用電源は直前の状態を維持するようにすることも可能である。直前の状態を維持するとは、スイッチを操作する直前にONの状態であればONの状態を維持し、OFFの状態であればOFFの状態を維持することを言う。同様にして、電話機能用電源スイッチ３がONされたときには電話機能用電源のみがONし、カメラ等機能用電源は直前の状態を維持するようにし、電話機能用電源スイッチ３がOFFされたときには電話機能用電源のみがOFFし、カメラ等機能用電源は直前の状態を維持するようにすることも可能である。モードIIを連動モードとして、このモードIIのときにはカメラ等機能用電源スイッチ４がONされたときにも電話機能用電源スイッチ３がONされたときにも、カメラ等機能用電源と電話機能用電源が同時にONするようにすることも可能である。電源をOFFする場合も同様に、電源を同時にOFFするようにすることが可能である。
【００３１】
【表２】
2004166192.tif 000004
以上の動作の手順により、簡単なスイッチ操作でカメラ単独の使用とカメラ電話の同時使用を使い分けることができ、電話通信用の無線電波を不必要に発生させることはなくなる。また、ここに説明した操作は１つの例であって、別のスイッチあるいは、操作パネルの操作の組み合わせで実現してもよい。
【００３２】
本発明による一体型カメラ付き携帯電話の第４の実施例について、図５にその機能ブロック図を示す。本実施例による携帯電話は、例えば図１に示すような外観で、電源スイッチを２つ持つものであればよい。カメラ等機能用電源スイッチを操作して、カメラ用電源１２をONしたときに、カメラ用電源１２がONされたことをカメラ駆動部１１が検知し、電話禁止部１５により電話用電源１４をOFFすることができるように構成されている。このとき、電話用電源１４がもともとOFFの状態であれば、その状態を維持するが、電話用電源１４がONの状態であれば、電話禁止部１５により電話用電源１４はOFFされて、電話駆動部１３および無線部１６に電源が供給されなくなり、電話通信用無線電波を発生することはなくなる。電話機能とカメラ機能を同時に使いたい場合は、電話禁止部の働きを無効にして、カメラ用電源１２と電話用電源１４の両方をONさせればよい。
【００３３】
次に、本発明による一体型カメラ付き携帯電話の第５の実施例について、図６にそのブロック図を示す。本実施例は、カメラ等機能の制御のみを行う駆動部１（１７）とカメラ機能と電話機能の両方を制御する駆動部２（１８）から構成されている。切り替えスイッチ２１，２２，２３を切り替えることにより、カメラ等機能のみを使用するときは、切り替えスイッチ２１、２２、２３を「１」側に倒して、駆動部１（１７）のみに電源を供給し、カメラ等機能と電話機能の両方を使用するときには、切り替えスイッチ２１、２２、２３を「２」側に倒して、駆動部２（１８）のみに電源を供給すればよい。不要な電話通信用無線電波を発生させたくないときは、駆動部１（１７）のみに電源を供給し、カメラ等機能のみを使用することができる。
【００３４】
本発明による一体型カメラ付き携帯電話は、上記以外の各種の携帯電話にも適用可能で、例えば、携帯電話の両面にレンズを備えた機種の場合にも適用できる。ここで両面とは、操作者の方に面した操作パネルと表示部のある面とそれとは反対の外方に面した面をいう。操作パネルと表示部がある面に設けられたレンズを使う場合は、簡単な操作によりカメラ機能と電話機能の両方をONさせることにより、TV会議等で使い易くすることができ、反対の面に設けられたカメラを使う場合は、カメラ機能のみをONさせて電話機能はONさせず、カメラとして使い易くすることができる。
【図面の簡単な説明】
【図１】本発明の第１の実施例による一体型カメラ付き携帯電話を示す平面図
【図２】本発明の第２の実施例による一体型カメラ付き携帯電話を示す平面図
【図３】従来技術の実施例による一体型カメラ付き携帯電話を示す平面図
【図４】本発明の第３の実施例による一体型カメラ付き携帯電話を示す平面図
【図５】本発明の第４の実施例による一体型カメラ付き携帯電話を示す機能ブロック図
【図６】本発明の第５の実施例による一体型カメラ付き携帯電話を示す機能ブロック図
【符号の説明】
１    カメラレンズ
２    液晶モニタ
３    電話機能用回路電源スイッチ
４    カメラ等機能用回路電源スイッチ
５    操作パネル
６    電話、カメラ等機能用多機能電源スイッチ
７    アンテナ
８    電話、カメラ等機能兼用電源スイッチ
９    モード切り替えスイッチ
１０  固体撮像素子
１１  カメラ駆動部
１２  カメラ用電源
１３  電話駆動部
１４  電話用電源
１５  電話禁止部
１６  無線部
１７  駆動部１
１８  駆動部２
１９  電源１
２０  電源２
２１、２２、２３    切り替えスイッチ
【図１】
2004166192.tif 000005
【図２】
2004166192.tif 000006
【図３】
2004166192.tif 000007
【図４】
2004166192.tif 000008
【図５】
2004166192.tif 000009
【図６】
2004166192.tif 000010